(57)【特許請求の範囲】
【請求項１】
振動検出手段を備えた遊技機において、
検出対象部位と前記振動検出手段との間に、前記検出対象部位の振動を増幅して前記振動検出手段へと伝達する振動増幅手段を備え、
前記振動増幅手段は、前記検出対象部位に片持ち状に固定された振動増幅部材を備え、
前記振動検出手段は、前記振動増幅部材の自由端側に備え、
前記振動増幅部材は、該振動増幅部材の固定部側及び自由端側に配置された広幅部と、該広幅部間に配置された狭幅部と、を有する
ことを特徴とする遊技機。
【発明の詳細な説明】
【技術分野】
【０００１】
本発明は、パチンコ機、アレンジボール機、スロットマシン等の遊技機に関するものである。
【背景技術】
【０００２】
従来のパチンコ機には、遊技者が遊技機本体の前面側等を殴打して遊技盤を振動させて、遊技領域を流下中の遊技球を無理に入賞手段に入賞させる等の不正行為を防止するために、遊技盤の裏側に振動検出手段を備え、この振動検出手段により遊技盤に不正に加えられた振動を検出するようにしたものがある（特許文献１）。
【先行技術文献】
【特許文献】
【０００３】
【特許文献１】特開２００９−６０２０号公報
【発明の概要】
【発明が解決しようとする課題】
【０００４】
遊技盤の裏側に振動検出手段を設けるに当たって、検出対象箇所の振動を適切に検出するためには、その検出に最適な位置に振動検出手段を配置する必要がある。しかし、遊技盤の裏側には多数の構造物があるため、スペース的な問題から振動検出手段の位置が制限されることがあり、最適な位置に配置できないことがある。
また汎用の振動検出手段を用いたり、振動検出手段を再利用したりすることがあるが、このような場合には検出したい振動の範囲と、検出できる振動の範囲とに差ができて、検出対象箇所の振動を適切に検出できないことがある。
本発明はこのような従来の問題点に鑑み、振動を容易且つ確実に検出できる遊技機を提供することを目的とする。
【課題を解決するための手段】
【０００５】
本発明は、振動検出手段を備えた遊技機において、検出対象部位と前記振動検出手段との間に、前記検出対象部位の振動を増幅して前記振動検出手段へと伝達する振動増幅手段を備え、前記振動増幅手段は、前記検出対象部位に片持ち状に固定された振動増幅部材を備え、前記振動検出手段は、前記振動増幅部材の自由端側に備え、前記振動増幅部材は、該振動増幅部材の固定部側及び自由端側に配置された広幅部と、該広幅部間に配置された狭幅部と、を有するものである。
【発明の効果】
【０００６】
本発明によれば、振動を容易且つ確実に検出できる利点がある。
【図面の簡単な説明】
【０００７】
【図１】本発明の第１の実施形態に係るパチンコ機の全体斜視図である。
【図２】同遊技盤の正面図である。
【図３】同遊技盤の平面断面図である。
【図４】同振り分け手段の側面断面図である。
【図５】同回転分散手段、回転送り手段の平面図である。
【図６】同振り分け手段の分解斜視図である。
【図７】同振動検出手段の取り付け部分の分解斜視図である。
【図８】同回転送り手段の図５のＡ矢視断面図である。
【図９】同回転送り手段の図５のＢ矢視断面図である。
【図１０】同回転送り手段の図５のＣ矢視断面図である。
【図１１】同回転送り手段の図５のＤ矢視断面図である。
【図１２】同第２大入賞手段の側面断面図である。
【図１３】同振動検出手段の取り付け部分の側面断面図である。
【図１４】同振動検出手段の取り付け部分の正面図である。
【図１５】本発明の第２の実施形態に係る振動検出手段の取り付け部分の正面図である。
【図１６】同振動検出手段の取り付け部分の側面図である。
【図１７】本発明の第３の実施形態に係る始動入賞手段の正面図である。
【図１８】同遊技盤の側面断面図である。
【図１９】同始動入賞手段の背面斜視図である。
【発明を実施するための形態】
【０００８】
以下、本発明の実施形態を図面に基づいて詳述する。
【０００９】
図１〜図１４は本発明をパチンコ機に採用した第１の実施形態を例示している。図１において、遊技機本体１は、正面視矩形状の外枠２と、この外枠２の前側に左右一側のヒンジ３により開閉自在に枢着された前枠４とを備えている。前枠４の前側には、ガラス扉（開閉扉）５と下部扉（開閉扉）６とが上下に配置され、ヒンジ３と同じ側のヒンジ７により前枠４に開閉自在に枢支されている。なお、ガラス扉５と下部扉６とを一体化して一つの開閉扉を構成してもよい。
【００１０】
下部扉６の前上部側には、発射用の遊技球を貯留して前枠４側の発射手段（図示省略）に供給する上皿（球貯留皿）８が配置され、その下側には余剰球を貯留する下皿（余剰球受け皿）９と発射手段を作動させるための発射ハンドル１０とが左右に配置されている。上皿８は上皿カバー１１により前側から覆われており、また上皿カバー１１上には演出用の操作ボタン１２，１３、球貸し操作部１４等が配置されている。
【００１１】
前枠４には、図２に示す遊技盤１５がガラス扉５の後側に対応するように着脱自在に装着されている。遊技盤１５の前面側には、図２に示すように、発射手段により発射された遊技球を遊技領域１７へと案内するガイドレール１６が環状に装着され、また遊技領域１７には中央表示手段１８、普通図柄始動手段１９、第１，第２特別図柄始動手段２０，２１、第１，第２大入賞手段２２，２３、普通入賞手段２４、振り分け手段２５等の遊技部品の他、多数の遊技釘（図示省略）が配置されている。
【００１２】
中央表示手段１８は図３にも示すように、遊技盤１５の前面に装着された表示枠２７と、この表示枠２７の表示窓２８に対応して遊技盤１５の裏側に配置された画像表示手段２９と、遊技盤１５の裏側に装着され且つ画像表示手段２９を支持する裏カバー３０とを備え、遊技領域１７の略左右中央の上部側に配置されている。
【００１３】
表示枠２７は画像表示手段２９の前外周側を飾るように、遊技盤１５の前側に突出して着脱自在に固定されており、この表示枠２７の前面には普通図柄表示手段３２、普通保留個数表示手段３３、第１，第２特別図柄表示手段３４，３５等が設けられている。画像表示手段２９は演出図柄表示手段３６、第１特別保留個数表示手段３７、第２特別保留個数表示手段３８等を構成するものであり、液晶表示手段等により構成されている。
【００１４】
裏カバー３０は普通図柄始動手段１９、第１，第２特別図柄始動手段２０，２１、第１，第２大入賞手段２２，２３、普通入賞手段２４、振り分け手段２５等の遊技部品を裏側から覆うもので、前側が開口する箱状に構成され、その後壁部３９に形成された開口（図示省略）に対応して画像表示手段２９が装着されている。なお、裏カバー３０は遊技盤１５の裏側に配置される裏構造体の一例を示す。
【００１５】
中央表示手段１８の左右両側には、表示枠２７を挟んで左流下経路４０と右流下経路４１とが設けられており、遊技領域１７の上部に打ち込まれた遊技球は表示枠２７の頂部で左右に振り分けられた後、その左流下経路４０、右流下経路４１の何れかを経て流下するようになっている。
【００１６】
普通図柄表示手段３２は普通図柄を変動表示するためのもので、複数種類の普通図柄（例えば２種類の「○」「×」）に対応する２つの発光素子により構成されており、普通図柄始動手段１９が遊技球を検出することを条件に２つの発光素子が交互に点灯するように所定時間点滅して、普通図柄始動手段１９が遊技球を検出したときに取得した特定遊技判定乱数値が予め定められた特定遊技判定値と一致した場合に特定遊技態様である「○」側の発光素子が、それ以外の場合に非特定遊技態様である「×」側の発光素子が夫々点灯して停止するようになっている。なお、普通図柄が特定遊技態様で停止した場合には、第２特別図柄始動手段２１が所定時間開放する特定遊技状態となる。
【００１７】
第１，第２特別図柄表示手段３４，３５は、１個又は複数個、例えば１個の特別図柄を変動表示するためのもので、７セグメント式等の表示手段により構成されており、対応する第１，第２特別図柄始動手段２０，２１に遊技球が入賞することを条件に特別図柄が所定時間変動して、第１，第２特別図柄始動手段２０，２１に遊技球が入賞したときに取得した特別遊技判定乱数値が予め定められた特別遊技判定値と一致した場合には所定の特別遊技態様で、それ以外の場合には非特別遊技態様で夫々停止するようになっている。
【００１８】
なお、第１，第２特別図柄表示手段３４，３５の特別図柄が特別遊技態様で停止した場合には、第１，第２大入賞手段２２，２３が所定の夫々の開閉パターンに従って開放する特別遊技状態が発生する。
【００１９】
普通図柄始動手段１９は普通図柄表示手段３２による普通図柄の変動表示を開始させるためのもので、中央表示手段１８の右流下経路４１側の下部に配置され、右流下経路４１を流下する遊技球が通過可能となっている。
【００２０】
普通図柄表示手段３２は、例えば「○」「×」の２種類の普通図柄に対応する２個の発光体（例えばＬＥＤ）により構成され、中央表示手段１８の前側等に配置されている。そして、普通図柄表示手段３２は、普通図柄始動手段１９が遊技球の通過を検出することを条件に２個の発光体が所定時間交互に点滅して、普通図柄始動手段１９の遊技球の検出時に取得した特定遊技判定乱数値が予め定められた特定遊技判定値と一致する場合には特定遊技態様に対応する「○」側の発光体が、それ以外の場合には非特定遊技態様に対応する「×」側の発光体が夫々発光した状態で停止するようになっている。
【００２１】
普通保留個数表示手段３３は特定遊技判定乱数値等の乱数情報を、所定の上限保留個数（例えば４個）を限度に表示して遊技者に報知するためのものであって、中央表示手段１８の前側等に配置されている。この普通保留個数表示手段３３は普通図柄表示手段３２の変動表示中、又は後述の普通遊技状態中に普通図柄始動手段１９が遊技球を検出した場合に、その検出時に取得した特定遊技判定乱数値が上限保留個数の４個を限度として記憶されるため、その保留個数と同数の発光体を発光させて特定遊技判定乱数値の記憶個数（以下、普通保留個数）を表示することにより、その時点での普通保留個数を遊技者に報知するようになっている。
【００２２】
第１，第２特別図柄表示手段３４，３５は１個又は複数個（例えば１個）の第１，第２特別図柄を変動表示可能な７セグメント式等の表示手段により構成されており、中央表示手段１８の前側に配置されている。
【００２３】
第１特別図柄表示手段３４は第１特別図柄始動手段２０に遊技球が入賞することを条件に、また第２特別図柄表示手段３５は第２特別図柄始動手段２１に遊技球が入賞することを条件に夫々その特別図柄を変動表示して、所定時間の経過後に特別遊技態様、非特別遊技態様で特別図柄を停止させるようになっている。
【００２４】
特別図柄の変動後の停止図柄は、第１，第２特別図柄始動手段２０，２１への遊技球の入賞時に取得した特別遊技判定乱数値が予め定められた特別遊技判定値と一致した場合に所定の特別遊技態様となり、それ以外の場合に非特別遊技態様となる。
【００２５】
なお、各特別図柄には数字図柄等を用いてもよいが、遊技者が停止図柄の種類を容易に区別できないように、任意の線や点の組み合わせのような特別な意味を持たない図柄を用いることが望ましい。
【００２６】
第１，第２特別保留個数表示手段３７，３８は特別遊技判定乱数値等の乱数情報を、所定の上限保留個数（例えば４個）を限度に表示して遊技者に報知するためのものであって、中央表示手段１８の前側等に配置されている。この第１，第２特別保留個数表示手段３７，３８は、第１，第２特別図柄表示手段３４，３５の特別図柄の変動表示中、又は特別利益状態中に第１，第２特別図柄始動手段２０，２１に遊技球が入賞した場合に、その入賞時に取得した特別遊技判定乱数値等を所定の上限保留個数を限度として記憶するため、その特別遊技判定乱数値の記憶個数を第１，第２特別保留個数として表示するようになっている。
【００２７】
なお、本実施形態では、特別利益状態中には第１，第２特別図柄表示手段３４，３５が図柄変動を開始しない他、第１，第２特別図柄表示手段３４，３５の何れか一方の図柄変動中は他方が図柄変動を開始せず、両方が同時に変動中となることはない。第１，第２特別図柄表示手段３４，３５が共に図柄変動を開始可能な状態となった場合には、第２特別図柄表示手段３５が第１特別図柄表示手段３４よりも優先して図柄変動を行うようになっている。
【００２８】
中央表示手段１８の下側の遊技領域１７には、略左右中央に振り分け手段２５が上下方向に配置されており、この振り分け手段２５の左側に第１特別図柄始動手段２０と普通入賞手段２４とが配置され、また振り分け手段２５の右側に第２特別図柄始動手段２１と第１大入賞手段２２と第２大入賞手段２３とが配置されている。
【００２９】
第１特別図柄始動手段２０は、第１特別図柄表示手段３４の特別図柄の図柄変動を開始させるためのもので、非開閉式の入賞手段により構成されている。第２特別図柄始動手段２１は第２特別図柄表示手段３５の図柄変動を開始させるためのもので、遊技球が入賞可能な開状態と入賞不可能（又は開状態よりも入賞困難）な閉状態とに変化可能な左右一対の開閉部材２１ａを備えており、普通図柄表示手段３２の変動後の停止図柄が特定遊技態様となった場合に、開閉部材２１ａが所定時間開状態に変化するようになっている。
【００３０】
なお、第２特別図柄始動手段２１は右流下経路４１の下側に配置されており、右流下経路４１を流下してきた遊技球が、左流下経路４０を流下してきた遊技球よりも高い確率で入賞可能である。
【００３１】
演出図柄表示手段３６は第１，第２特別図柄表示手段３４，３５の特別図柄の変動表示に同期して１個又は複数個、例えば左右方向に３個の演出図柄を変動表示するためのもので、特別図柄の変動開始と同時に所定の変動パターンに従って演出図柄が変動を開始し、特別図柄の変動停止と略同時に最終停止すべく演出図柄を左、右、中等の所定の順序で停止させるようになっている。
【００３２】
なお、第１，第２特別図柄表示手段３４，３５の第１，第２特別図柄は同時に変動しないため、演出図柄表示手段３６の演出図柄は第１，第２特別図柄の何れか一方と同期して変動するが、演出図柄は第１，第２特別図柄の変動内容とは直接関係のない演出を行うことがあってもよい。
【００３３】
演出図柄には例えば「０」〜「９」の１０種類の数字図柄が用いられ、「６・６・６」「７・７・７」等、３つの図柄が全て同じ図柄で揃ったものが特別演出態様、少なくとも１つの図柄が異なるものが非特別演出態様となっている。そして、演出図柄の変動後の停止図柄は、第１，第２特別図柄表示手段３４，３５の第１，第２特別図柄が特別遊技態様で停止する場合には特別演出態様となり、第１，第２特別図柄が非特別遊技態様で停止する場合には非特別演出態様となる。
【００３４】
第１大入賞手段２２は、前向き開口状に形成された第１大入賞口４２と、この第１大入賞口４２に遊技球が入賞可能な開状態と入賞不可能な閉状態とに変化可能な開閉部材４３とを備え、第２特別図柄始動手段２１の下側に配置されている。開閉部材４３は下部側を支点として開閉動作可能であり、開状態のときに遊技盤１５の前面側に前上がり状に突出して、遊技盤１５の前面に沿って流下してきた遊技球を第１大入賞口４２内に案内するようになっている。
【００３５】
第２大入賞手段２３は図１２に示すように、前向き開口状に形成された第２大入賞口４４と、この第２大入賞口４４に遊技球が入賞可能な開状態と入賞不可能な閉状態とに変化可能な開閉部材４５と、第２大入賞口４４に入賞した遊技球を検出可能な入賞検出手段４６とを備え、普通図柄始動手段１９と第２特別図柄始動手段２１との間に配置されている。
【００３６】
開閉部材４５は下部側の枢軸４７を支点として開閉動作可能であり、開状態のときには二点鎖線で示すように遊技盤１５の前面側に前上がり状に突出して、遊技盤１５の前面に沿って流下してきた遊技球を第２大入賞口４４内に案内するようになっている。
【００３７】
振り分け手段２５は第２大入賞手段２３に入賞した遊技球を振り分けて、特別利益状態の終了後に確変状態と時短状態との何れかを選択的に発生させるためのもので、保護カバー６６内に収容して遊技盤１５の裏側で画像表示手段２９の前下側の略左右中央に配置され、遊技盤１５に形成された開口部６６ａを経て振り分け状況を目視により視認できるようになっている。
【００３８】
この振り分け手段２５は、図３〜図１１に示すように、周方向に特定領域４９及び普通領域５０が設けられた受け皿５１と、特定領域４９及び普通領域５０に振り分けられた遊技球を検出する特定検出手段５２及び普通検出手段５３と、受け皿５１の中心側に回転自在に配置された回転分散手段５４と、回転分散手段５４により分散された遊技球を受け皿５１上で特定領域４９、普通領域５０側へと送る回転送り手段５５と、回転分散手段５４上に上方から遊技球を落下させる漏斗（落下手段）５６と、第２大入賞手段２３に入賞した遊技球を漏斗５６へと案内する案内通路５７とを備え、支持板５８、取り付け台５９を介して裏カバー３０に着脱自在に装着されている。
【００３９】
受け皿５１は、図３〜図５に示すように、円形状の周壁部６２と、この周壁部６２の内周に略同心状に設けられた遊技球用の転動路６３とを備え、上部ケース６１と下部ケース６４とから構成される支持ケース６５の内、その上部ケース６１に前下り状に傾斜して設けられている。
【００４０】
転動路６３はその後部側に左右方向及び前後方向に略水平状に形成された水平部６３ａと、水平部６３ａの前側に内周側が低くなる円錐状に形成された傾斜部６３ｂとを有し、水平部６３ａと傾斜部６３ｂとの間に、水平部６３ａの前縁に沿って段差部６３ｃが形成されている。
【００４１】
特定領域４９と普通領域５０は、特定領域４９が転動路６３の径方向の内側寄りに配置され、普通領域５０が転動路６３の径方向の外側寄りに配置されている。特定領域４９は図８、図９に示すように、普通領域５０は図１０、図１１に示すように、受け皿５１の転動路６３と下部ケース６４の底壁部６４ａとの間に上下方向に設けられており、その特定領域４９の下部側に特定検出手段５２が、普通領域５０の下部側に普通検出手段６０が夫々設けられている。
【００４２】
特定領域４９、普通領域５０の手前側には、図９、図１１に示すように、転動路６３の遊技球を各領域４９，５０へと傾斜状に案内する案内部４９ａ，５０ａが形成されている。案内部４９ａ，５０ａは特定領域４９、普通領域５０の径方向の位置に対応して配置されている。なお、特定領域４９、普通領域５０は周方向及び径方向の逆の位置に配置してもよい。
【００４３】
回転分散手段５４は漏斗５６から落下する遊技球を周方向に不規則に分散させるためのものであり、回転送り手段５５は回転分散手段５４で分散された遊技球を特定領域４９、普通領域５０へと送るためのものであって、図４〜図６に示すように、回転分散手段５４が中心部に、回転送り手段５５が回転分散手段５４の外周側に略同心状に配置されている。
【００４４】
回転分散手段５４は図４〜図６に示すように、前傾状に配置された回転軸６８と、回転軸６８の上端に固定された分散回転体６９と、分散回転体６９から上方に突出する分散突起７０と、分散回転体６９を回転軸６８廻りにａ矢示方向（図５参照）に回転駆動する分散駆動手段７１とを備えている。
【００４５】
回転軸６８は上部ケース６１の中心部の軸受け部７２により前側に傾斜して回転自在に支持され、軸受け部７２はその下端側が上部ケース６１の軸受け支持部７３に固定されている。分散回転体６９は円板状であって、回転軸６８の上端に直角に固定され、受け皿５１と同様に前下り状に前傾して配置されている。
【００４６】
分散突起７０は回転中心に対して偏心位置に配置された頂部７０ａと、この頂部７０ａの下側外周に傾斜状に配置された複数種類の衝突面７０ｂとを有する非対称角錐状であって、漏斗５６から落下する遊技球が衝突するときの衝突面７０ｂの違いによって、その遊技球を不規則に分散させるようになっている。なお、分散突起７０はその回転により遊技球を分散できる構造であればよく、非対称角錐状である必要はない。
【００４７】
分散駆動手段７１は、回転軸６８の下端側のギヤ７４と、下部ケース６４に固定された駆動モータ７５と、駆動モータ７５の駆動ギヤ７６と、駆動ギヤ７６とギヤ７４とを連動させる中間ギヤ７７とを備え、駆動モータ７５により分散回転体６９をａ矢示方向に回転駆動するようになっている。中間ギヤ７７は下部ケース６４に支持されている。
【００４８】
回転送り手段５５は図４〜図６に示すように、前側に傾斜する円筒状の回転軸７８と、回転軸７８の上端側に一体又は別体に設けられた送り回転体７９と、送り回転体７９の外周側に周方向に略等間隔に配置された複数個（例えば６個）の送り突部８０と、各送り突部８０間に周方向に交互に配置された特定保持部８１及び普通保持部８２と、送り回転体７９を回転軸７８廻りにｂ矢示方向に回転駆動する送り駆動手段８３とを備えている。
【００４９】
回転軸７８は回転軸６８と略同心状であり、上部ケース６１の軸受け部８４により回転自在に支持されている。送り回転体７９は環状円板であって、回転軸７８の上端に固定して分散回転体６９の外周に略同心状に配置され、受け皿５１、分散回転体６９と同様に前下り状に前傾して配置されている。
【００５０】
送り突部８０は送り回転体７９の外周から受け皿５１の転動路６３上に突出しており、その回転方向の前側で受け皿５１の転動路６３上の遊技球を回転方向に押して行くようになっている。特定保持部８１は周方向に隣り合う送り突部８０の外端側に周方向に連結する外側支持部８６を有し、送り回転体７９と送り突部８０と外側支持部８６との間に開口状に設けられ、その内部に入った遊技球を保持して送るようになっている。
【００５１】
外側支持部８６は普通領域５０の案内部５０ａの内周側に段差状に形成された内側支持部５０ｂとの間隔が遊技球の直径よりも小であり、特定保持部８１が普通領域５０を通過する際に、内側支持部５０ｂとの間で遊技球を保持して特定保持部８１内の遊技球が普通領域５０に入らないようにしている。
【００５２】
普通保持部８２は周方向に隣り合う送り突部８０間が開放状である。送り回転体７９の外周に形成された内側支持部７９ａと特定領域４９の案内部４９ａの外周側に段差状に形成された外側支持部４９ｂとの間隔は遊技球の直径よりも小であって、普通保持部８２が特定領域４９を通過する際に、内側支持部７９ａと外側支持部４９ｂとの間で遊技球を保持して普通保持部８１内の遊技球が特定領域４９に入らないようにしている。
【００５３】
送り駆動手段８３は軸受け部８４の下側で回転軸７８に固定されたギヤ８７と、下部ケース６４に固定された駆動モータ８８と、駆動モータ８８の回転軸７８に固定されギヤ８７に噛合する駆動ギヤ８９とを備え、駆動モータ８８の駆動によりｂ矢示方向に回転駆動するようになっている。
【００５４】
漏斗５６は図３、図４、図６に示すように半球面状であり、遊技球を鉛直方向に落下させる落下口５６ａを下部側の中心部分に備えている。落下口５６ａは回転分散手段５４の分散回転体６９の回転中心の略鉛直線上に配置されている。漏斗５６は取り付け台５９の前面の支持板５８に着脱自在に固定されている。案内通路５７は支持板５８に着脱自在に固定されており、一端側が第２大入賞手段２３の排出口９０に接続され、また他端側が漏斗５６上に開口している。
【００５５】
遊技盤１５の裏側には、図２に示すように、遊技盤１５の振動を検出する振動検出手段９１が振動増幅手段９２を介して設けられている。この振動検出手段９１は、遊技者が遊技中に前枠４の前面側を不正に殴打した場合等に発生する遊技盤１５側の振動を検出するもので、加速度式その他のものが採用され、検出対象部位に振動増幅手段９２を介して取り付けられている。
【００５６】
例えば振り分け手段２５では、上皿カバー１１を不正に殴打したときの振動で遊技球の挙動が微妙に変化する等、回転分散手段５４等がその振動の影響を受け易いため、その振動による不正行為を容易且つ確実に検出できるように、振り分け手段２５の取り付け台５９を検出対象部位として、その取り付け台５９に振動増幅手段９２を介して振動検出手段９１が取り付けられている。
【００５７】
取り付け台５９は板状であって、裏カバー３０の後壁部３９の前面に間隔保持部材９３等を介して遊技盤１５と略平行に固定され、遊技者が上皿カバー１１等を殴打したときの振動を遊技盤１５、裏カバー３０を介して受ける構造になっている。なお、取り付け台５９は裏カバー３０の後壁部３９を介して前後方向の振動を受け易い構造である。
【００５８】
振動増幅手段９２は、図３、図７、図１３、図１４に示すように、所定の剛性（及び／又は弾性）を有する帯板状の振動増幅部材９５により構成されている。振動増幅部材９５は取り付け台５９の振動に共振して単調和振動できるように、取り付け台５９に固定部１０６で片持ち梁構造により支持され、固定部１０６と反対の自由端側に振動検出手段９１が配置されている。
【００５９】
即ち、振動増幅部材９５は板面を前後に向けて縦長状に配置され、上端側（一端側）の固定部１０６で取り付け台５９に片持ち状に固定されている。また振動増幅部材９５の下端側（他端側）には振動検出手段９１が設けられており、自由端側の質量は振動検出手段９１によって大となっている。
【００６０】
振動増幅部材９５は左右幅が広く剛性が大の広幅部９５ａ，９５ｂを上下両側に備え、その広幅部９５ａ，９５ｂ間に、広幅部９５ａ，９５ｂよりも左右幅が狭く剛性が小さい狭幅部９５ｃが設けられている。振動増幅部材９５は上側の広幅部９５ａの上端側の固定部１０６が間隔保持部材９６を介してネジ等の固定具９７により取り付け台５９に片持ち状に固定され、下側の広幅部９５ｂの前面に間隔保持部材９８を介してネジ等の固定具９９により振動検出手段９１が固定されている。狭幅部９５ｃは振動検出手段９１に近い位置に設けられている。
【００６１】
なお、図６に示すように、上部ケース６１、下部ケース６４は間隔保持部材１００を介して取り付け台５９の取り付け部１０１に、漏斗５６は間隔保持部材１０２を介して支持板５８の取り付け部１０３に夫々着脱自在に固定されている。支持板５８は間隔保持部材１０４を介して取り付け台５９の取り付け部１０５に着脱自在に固定されている。
【００６２】
遊技中において、例えば第１特別図柄表示手段３４の変動後の停止図柄が特別遊技態様となれば、第１特別利益状態が発生して第１大入賞手段２２が所定の開閉パターンで開閉し、上方から流下する遊技球が開閉部材４３を介して第１大入賞口４２へと入賞する。
【００６３】
また第２特別図柄表示手段３５の変動後の停止図柄が特別遊技態様となれば、第２特別利益状態が発生して第２大入賞手段２３が所定の開閉パターンで開閉し、上方から流下する遊技球が開閉部材４５を介して第２大入賞口４４へと入賞する。第１，第２大入賞口４２，４４に遊技球が入賞すると、その入賞個数に対応して所定数の遊技球が賞球として払い出される。
【００６４】
第２大入賞手段２３に入賞した遊技球は、入賞検出手段４６で検出して計数された後、振り分け手段２５の回転分散手段５４、回転送り手段５５を経て特定領域４９と普通領域５０との何れかに振り分けられて行く。
【００６５】
回転分散手段５４では、分散駆動手段７１の駆動により分散回転体６９が前傾状態で回転軸６８廻りにａ矢示方向に回転している。そのため案内通路５７から漏斗５６に入った遊技球は、分散回転体６９上に偏心して配置された非対称形状の分散突起７０上に落下して、その分散突起７０に対する衝突面７０ｂの違いにより外周方向に不規則に分散させる。
【００６６】
遊技球は回転分散手段５４により周方向に不規則に分散された後、回転送り手段５５によりｂ矢示方向に送られて特定領域４９と普通領域５０との何れかに振り分けられる。回転分散手段５４では送り回転体７９がｂ矢示方向に回転しており、回転分散手段５４により分散された遊技球は、送り回転体７９の回転を受けて転がりながら、送り回転体７９の外周側の特定保持部８１と普通保持部８２との何れかに入った後、その保持部８１，８２により保持された状態で送り回転体７９の回転に伴って転動路６３上をｂ矢示方向に転動しながら送られて行く。
【００６７】
特定保持部８１内の遊技球は転動路６３上をｂ矢示方向に転動した後、案内部４９ａを経て特定領域４９へと振り分けられ特定検出手段５２により検出される。また普通保持部８２内の遊技球は転動路６３上をｂ矢示方向に転動した後、案内部５０ａを経て普通領域５０へと振り分けられ普通検出手段５３により検出される。
【００６８】
遊技球が特定領域４９に振り分けられると、第２特別利益状態の終了後に確変状態が発生し、また普通領域５０に振り分けられると、第２特別利益状態の終了後に時短状態が発生する。
【００６９】
時短状態中は、第１，第２特別図柄に関しては変動時間が通常変動時間よりも短い短縮変動時間に切り換えられる他、普通図柄に関しては特定遊技態様の確率が通常確率（例えば１／１０）から高確率（例えば１／１．３）へ、変動時間が通常変動時間（例えば２７秒）から短縮変動時間（例えば２．７秒）へ、第２特別図柄始動手段２１の開閉パターンが通常開閉パターン（例えば０．２秒×１回開放）から特別開閉パターン（例えば２秒×３回開放）へと夫々切り換えられる。なお、時短状態は第２特別利益状態の終了後に開始し、その後に第１，第２特別図柄が合わせて所定回数（例えば５０回）変動するか、それまでに次の特別利益状態が開始された時点で終了する。
【００７０】
確変状態中は、通常確率状態中よりも特別遊技判定値の数が例えば１個から１０個へ増加されることにより、第１，第２特別図柄が特別遊技態様となる確率が通常確率（例えば１／３５０）よりも高い高確率（例えば１／３５）に切り換えられると共に、時短状態と同様の処理も併せて行われるようになっている。
【００７１】
なお、確変状態は例えば第２特別利益状態の終了後に開始し、次の特別利益状態が開始された時点で終了するが、次の特別利益状態が開始されるまでに所定の終了条件が成立（特別図柄が所定回数変動、転落抽選に当選等）した場合にはその時点で終了するようにしてもよい。
【００７２】
遊技中に遊技者が前面側の上皿カバー１１その他を殴打して遊技盤１５を介して第１，第２大入賞手段２２，２３、振り分け手段２５等の遊技部品を振動させることにより、第１，第２大入賞手段２２，２３に対して遊技球を入賞し易くしたり、第２大入賞手段２３に入賞した遊技球を振り分け手段２５により不正に特定領域４９へと振り分ける等の不正行為が行われることがある。
【００７３】
このような不正行為があった場合には、振動検出手段９１によりその振動を的確に検出して、その検出信号をコンピュータ等の管理装置、報知手段等の所要手段へと送信して、その事実を報知し又は警報する等、不正行為に対して迅速に対応することが可能である。
【００７４】
例えば、遊技中に遊技者が上皿カバー１１を前後方向に殴打する等の不正行為があれば、その振動が遊技盤１５から裏カバー３０を介して取り付け台５９へと伝達されて取り付け台５９が振動するが、そのような場合の取り付け台５９の振動を振動検出手段９１で確実に検出することができる。
【００７５】
即ち、取り付け台５９と振動検出手段９１との間には、振動増幅手段９２を構成する振動増幅部材９５があり、この振動増幅部材９５が取り付け台５９の振動を増幅するため、取り付け台５９が裏カバー３０側にあるにも拘わらず、振動検出手段９１により取り付け台５９の振動を確実に検出することができる。
【００７６】
またスペース的な制約があって遊技盤１５自体の裏側に直接振動検出手段９１を設けたり、遊技盤１５に装着された部材を介して遊技盤１５の裏側に振動検出手段９１を設けたりすることが困難な場合には、裏カバー３０に装着された取り付け台５９側に振動検出手段９１を設けて、その振動検出手段９１により上皿カバー１１の殴打等による振動を検出することが十分に可能であり、遊技盤１５に近い箇所に振動検出手段９１を設ける場合に比較して設計の自由度が大になる利点もある。
【００７７】
更に振動検出手段９１による振動の検出に当たっては、上皿カバー１１の殴打等により裏カバー３０を介して取り付け台５９が前後方向に振動すれば、取り付け台５９の振動に共振して振動増幅部材９５が一端側を支点に前後方向に単調和振動をし、この単調和振動により取り付け台５９の振動を増幅する作用がある。そのため振動検出手段９１は振動増幅部材９５の増幅作用を受けて、振動増幅部材９５の下端側で前後方向に振動することとなり、取り付け台５９の振動を確実に検出することができる。
【００７８】
特に振動増幅部材９５は上下両側の広幅部９５ａ，９５ｂの剛性が大であるが、その広幅部９５ａ，９５ｂ間の狭幅部９５ｃの剛性が小さく、しかも振動検出手段９１によって下端側の質量が大となっているため、振動増幅部材９５の途中に狭幅部９５ｃがあり下端側の質量が大であることから、振動検出手段９１側の振幅数が低下して振幅が大きくなり、振動検出手段９１により取り付け台５９の振動を容易に検出することができる。
【００７９】
振動増幅手段９２は検出対象部位に片持ち状に固定された振動増幅部材９５を備え、その振動増幅部材９５の一端側を検出対象部位に固定し、他端側に振動増幅部材９５を固定した簡単な構成であるため、容易且つ安価に実施することができる。
【００８０】
図１５、図１６は本発明の第２の実施形態を例示する。この実施形態の振動増幅部材９５には、第１の実施形態と同様に広幅部９５ａ，９５ｂと狭幅部９５ｃとを有し、一端側の広幅部９５ａが固定部１０６で取り付け台５９に片持ち状に固定され、他端側（自由端側）の広幅部９５ｂに振動検出手段９１と当接部１１５とが設けられている。
【００８１】
振動検出手段９１の検出部１１６は、金属球等の可動体１１７と、この可動体１１７を振動感知方向に相対移動自在に保持する保持部１１８とを備え、これらの可動体１１７と保持部１１８との相対移動により検出部１１６が振動を検出する加速度式のものが使用されている。
【００８２】
振動検出手段９１は振動増幅部材９５の一側面に、当接部１１５は振動増幅部材９５とは反対の取り付け台５９側の他側面に夫々設けられている。狭幅部９５ｃは振動増幅部材９５の振動検出手段９１に近い側に設けられている。
【００８３】
当接部１１５は振動増幅部材９５の自由状態から一方側への振動を規制する規制手段を構成するものであって、振動増幅部材９５が自由状態のときに取り付け台５９の前面に当接するように、狭幅部９５ｃと振動検出手段９１の検出部１１６との近傍で広幅部９５ｂから取り付け台５９側に突出して左右方向に長く設けられている。
【００８４】
なお、当接部１１５は広幅部９５ｂの略全幅の長さでもよいし、広幅部９５ｂの略全幅よりも短くてもよい。また当接部１１５は広幅部９５ｂの幅方向に１個又は複数個設けてもよいし、振動増幅部材９５の広幅部９５ｂと対向して取り付け台５９等の固定部側に設けて、振動増幅部材９５の広幅部９５ｂの背面に当接するように構成することも可能である。他の構成は第１の実施形態と同様である。また当接部１１５は前後反対側にも設けることも可能である。
【００８５】
この場合には、取り付け台５９が前後方向に振動すれば、振動増幅部材９５が固定部１０６側を支点として前後方向に単調和振動する。この単調和振動により振動増幅部材９５が後方へと戻るときに当接部１１５が取り付け台５９に当接して、振動増幅部材９５の後方への振動が急激に規制されるため、振動検出手段９１の検出部１１６の可動体１１７と保持部１１８との間に急激な相対移動が生じることになる。
【００８６】
従って、当接部１１５を設けることにより、振動検出手段９１の検出部１１６においてその可動体１１７と保持部１１８との間に急激な相対移動を生じさせることが可能であり、これによって振動検出手段９１の検出精度を向上させることができる。
【００８７】
図１７〜図１９は本発明の第３の実施形態を例示する。この実施形態では、遊技盤１５に装着された始動入賞手段１１０に振動増幅部材９５を介して振動検出手段９１が設けられている。
【００８８】
始動入賞手段１１０は第１，第２特別図柄表示手段３４，３５の特別図柄の始動用であって、非開閉式の第１特別図柄始動手段２０と開閉式の第２特別図柄始動手段２１とを取り付けベース１１１に上下に備えており、後部側の本体部１１２が遊技盤１５の取り付け孔１１３に前側から挿入され、取り付けベース１１１が遊技盤１５の前面に着脱自在に固定されている。第１，第２特別図柄始動手段２０，２１は、入賞した遊技球を本体部１１２側の球通路を経て遊技盤１５の裏側へと誘導するようになっている。
【００８９】
振動検出手段９１は始動入賞手段１１０の本体部１１２の後端側等の所定箇所を検出対象部位として、その検出対象部位に、振動増幅手段を構成する振動増幅部材９５を介して取り付けられている。
【００９０】
振動増幅部材９５は左右幅が広く剛性が大の広幅部９５ａ，９５ｂを上部及び下部の両側に備え、その広幅部９５ａ，９５ｂ間に、広幅部９５ａ，９５ｂよりも左右幅が狭く剛性が小さい狭幅部９５ｃが設けられている。上側の広幅部９５ａの上端側が本体部１１２にネジ等の固定具により固定され、下側の広幅部９５ｂの前面にネジ等の固定具により振動検出手段９１が固定されている。なお、振動増幅部材９５は後側に屈曲する屈曲部９５ｄを中間に有し、この屈曲部９５ｄ内に狭幅部９５ｃが設けられている。他の構成は第１の実施形態と同様である。
【００９１】
このように構成すれば、始動入賞手段１１０の本体部１１２側の振動を振動増幅部材９５で増幅して振動検出手段９１により検出することができる。従って、始動入賞手段１１０に対して遊技球が入賞し易くなるようにガラス扉５又は上皿カバー１１等を殴打する不正行為があっても、その事実を容易且つ確実に検出することができる。
【００９２】
以上、本発明の実施形態について詳述したが、本発明はこれらの実施形態に限定されるものではなく、本発明の趣旨を逸脱しない範囲で種々の変更が可能である。例えば、各実施形態では、パチンコ機について例示しているが、パチンコ機以外の弾球遊技機の全般、スロットマシン等の各種の遊技機においても同様に実施可能である。
【００９３】
またパチンコ機の場合でも、裏カバー３０に装着された取り付け台５９を、遊技盤１５に装着された始動入賞手段１１０を夫々検出対象部位としているが、検出対象部位は遊技盤１５に直接的又は間接的に設けられたか否かに関係なく、振動が問題となる任意の箇所を対象とすることができる。従って、遊技盤１５以外のガラス扉５、開閉扉、上皿カバー１１等を対象としてもよい。
【００９４】
第１、第２の実施形態では、取り付け台５９に取り付けられる遊技盤部品として振り分け手段２５を例示しているが、振り分け手段２５以外のものでもよい。また振り分け手段２５等の遊技球に関わる遊技部品が全て遊技盤１５側にあり、裏カバー３０側に振り分け手段２５等の遊技部品がない場合にも、振動増幅手段９２による振動増幅作用が十分であれば、その裏カバー３０に振動増幅手段９２を介して振動検手段９１を取り付けることも可能である。
【００９５】
振動増幅手段９２は振動を機械的に増幅できるものであれば良く、板状の振動増幅部材９５が適当であるが、板材に限定されるものではなく、線材その他のものを利用することも可能である。振動増幅部材９５は広幅部９５ａ，９５ｂと狭幅部９５ｃとを長手方向に複数組備えたものでもよいし、広幅部９５ａ，９５ｂと狭幅部９５ｃとの長短は逆又は同程度でもよい。更に振動増幅部材９５は全長が略同幅のものでもよいし、更に板バネ、ピアノ線等の弾性材を使用してもよい。
【００９６】
また振動増幅部材９５により振動を増幅する際の振動形式は単調和振動に限定されるものではない。検出対象部位の振動に共振して振動するものであれば十分である。
【符号の説明】
【００９７】
１５  遊技盤
２５  振り分け手段
３０  裏カバー
５９  取り付け台（検出対象部位）
４９  特定領域
５０  普通領域
５４  回転分散手段
５５  回転送り手段
５６  漏斗
９１  振動検出手段
９２  振動増幅手段
９５  振動増幅部材
９５ａ，９５ｂ  広幅部
９５ｃ  狭幅部
１０６  固定部
１１５  当接部（規制手段）
【図１】
0006300851.tif 000002
【図２】
0006300851.tif 000003
【図３】
0006300851.tif 000004
【図４】
0006300851.tif 000005
【図５】
0006300851.tif 000006
【図６】
0006300851.tif 000007
【図７】
0006300851.tif 000008
【図８】
0006300851.tif 000009
【図９】
0006300851.tif 000010
【図１０】
0006300851.tif 000011
【図１１】
0006300851.tif 000012
【図１２】
0006300851.tif 000013
【図１３】
0006300851.tif 000014
【図１４】
0006300851.tif 000015
【図１５】
0006300851.tif 000016
【図１６】
0006300851.tif 000017
【図１７】
0006300851.tif 000018
【図１８】
0006300851.tif 000019
【図１９】
0006300851.tif 000020